(57)【特許請求の範囲】
【請求項１】
電機機器内に配置される導電プレートを収容するケースと、
前記電機機器用の外部コネクタに接続されると共に、前記外部コネクタが抜き差しされる方向に沿って前記ケースに一体に形成されたコネクタ部と、
前記コネクタ部底壁に形成された第１取付孔に挿入固定され、一端側が前記コネクタ部に突出し前記外部コネクタが抜き差しされて電気的接続がなされるコネクタ端子部と、他端側が前記ケース外部に導出されてリード線を介して外部素子に接続された素子接続部とを有した第１端子部材と、
前記コネクタ部底壁に形成された第２取付孔に挿入固定され、一端側が前記コネクタ部に突出し前記外部コネクタが抜き差しされて電気的接続がなされるコネクタ端子部と、他端側が前記ケース内部に導入され前記導電プレートに摺接して電気的断続を行なうコンタクト部とを有し、バネ性を有する導電性金属板にて一体的に形成された第２端子部材と、
を備えた電機機器の端子装置において、
前記ケースの内外を遮蔽するケース被覆壁は前記コネクタ部の底壁の前記第１取付孔と前記第２取付孔との間に接続され、前記第２取付孔は前記コネクタ部と前記ケース内部との間を前記外部コネクタが抜き差しされる方向に貫通して形成されている、
ことを特徴とする電機機器の端子装置。
【請求項２】
前記第２取付孔に挿入固定された前記第２端子部材は、前記コネクタ端子部と前記コンタクト部との間にリード部を有し、前記リード部は前記ケース被覆壁の内面に沿って固定されている、
ことを特徴とする請求項１に記載の電機機器の端子装置。
【請求項３】
前記ケース被覆壁には、前記第２取付孔の外部であって前記第２取付孔の形成方向と交差する方向に突出する位置決突起が突出形成されており、かつ、前記リード部には、前記位置決突起が挿入係止される係止部が開口形成されている、
ことを特徴とする請求項２に記載の電機機器の端子装置。
【請求項４】
前記係止部は、前記位置決突起に噛み込む爪部が前記開口内側に向けて突出形成されている、
ことを特徴とする請求項３に記載の電機機器の端子装置。
【発明の詳細な説明】
【０００１】
【発明の属する技術分野】
本発明は電機機器の端子装置に関する。
【０００２】
【従来の技術】
電機機器として、例えば自動車のワイパ装置に適用されるモータには、給電用の入力端子や回転位置制御用の出力端子、雑音防止素子（コンデンサ、チョークコイル等）、あるいはこれらの各端子と雑音防止素子を接続する電線等を収容するために、ハウジングに接続ボックス（端子装置）が設けられている。
【０００３】
図９（Ａ）に示す如く、従来のこの種の端子装置６０では、ベース部材(ケース）６２にコネクタ部６４が一体に形成されている。コネクタ部６４には、外部コネクタの抜き差し方向に沿って複数の取付孔６６が形成されており、前述した入力端子６８や出力端子７０が挿入固定されている。入力端子６８は、一端側が前記コネクタ部６４内に突出しており、他端側がベース部材(ケース）６２の外部に導出されてリード線７２を介して外部素子に接続されている。また、出力端子７０は、一端側が同様にコネクタ部６４内に突出しており、他端側が同様にベース部材(ケース）６２の外部に導出されて、リード線７２を介してコンタクト７４に接続されている。
【０００４】
コンタクト７４は、同様にベース部材(ケース）６２に形成された取付孔７６に挿入固定されてベース部材(ケース）６２の内部に導入され、このベース部材(ケース）６２内に収容された導電プレート（図示省略）に摺接して電気的断続を行なうように構成されている。
【０００５】
ところで、従来のこのような端子装置６０では、出力端子７０とコンタクト７４とをリード線７２で接続するために、出力端子７０の他端側を一旦ベース部材６２の外部に導出してコンタクト７４と接続していたため、作業工数及び部品点数が増加していた。
【０００６】
一方、図９（Ｂ）に示す如く、前述の如き接続作業を低減するために、出力端子７０とコンタクト７４とが予め溶接などで一体に形成されたものを樹脂製のケースを成形する際にインサート成形によって埋設固定したものがあるが、ケース形成時に追加の段取り工程が必要であり依然作業性は改善されなかった。また、出力端子７０とコンタクト７４とを一体に形成されたものに端子の抜け止めとして一部を切り起こした切起片７８を取付孔６６の開口周縁に係合させて固定するものが考えられる。
【０００７】
しかしながら、この場合、外部コネクタの抜き差し方向と出力端子７０の取付孔６６への挿入方向とを同じにする必要があるので、バネ性を有する切起片７８による係合では外部コネクタの抜き差しの際に出力端子７０の他端に一体に形成されたコンタクト７４の導電プレートとの接触位置（固定位置）が移動してしまう恐れがあった。
【０００８】
【発明が解決しようとする課題】
本発明は上記事実を考慮し、その第１の目的とするところは、コネクタ部に挿入されるコネクタ端子部とケース内部の導電プレートに摺接するコンタクト部とが一体的に形成された端子部材が、電機機器用の外部コネクタの抜き差し方向にコネクタ端子部を取付孔に挿入して固定する電機機器の端子装置において、外部コネクタの抜き差しによる端子部材の移動を防止してコンタクト部と導電プレートとの接触位置関係のズレを防止できる電機機器の端子装置を得ることであり、またさらに、その第２の目的とするところは、外部コネクタの抜き差し方向にコネクタ部に挿入されるコネクタ端子部とケース内部の導電プレートに摺接されるコンタクト部とを同一の金属板にて一体形成しても、コネクタ端子部をコネクタ部に導出しつつケース内部にも接続作業なしで導入することができ、組付け作業性向上及び部品点数低減を図ることができる電機機器の端子装置を得ることである。
【０００９】
【課題を解決するための手段】
請求項１に係る発明の電機機器の端子装置は、電機機器内に配置される導電プレートを収容するケースと、前記電機機器用の外部コネクタに接続されると共に、前記外部コネクタが抜き差しされる方向に沿って前記ケースに一体に形成されたコネクタ部と、前記コネクタ部底壁に形成された第１取付孔に挿入固定され、一端側が前記コネクタ部に突出し前記外部コネクタが抜き差しされて電気的接続がなされるコネクタ端子部と、他端側が前記ケース外部に導出されてリード線を介して外部素子に接続された素子接続部とを有した第１端子部材と、前記コネクタ部底壁に形成された第２取付孔に挿入固定され、一端側が前記コネクタ部に突出し前記外部コネクタが抜き差しされて電気的接続がなされるコネクタ端子部と、他端側が前記ケース内部に導入され前記導電プレートに摺接して電気的断続を行なうコンタクト部とを有し、バネ性を有する導電性金属板にて一体的に形成された第２端子部材と、を備えた電機機器の端子装置において、前記ケースの内外を遮蔽するケース被覆壁は前記コネクタ部の底壁の前記第１取付孔と前記第２取付孔との間に接続され、前記第２取付孔は前記コネクタ部と前記ケース内部との間を前記外部コネクタが抜き差しされる方向に貫通して形成されている、ことを特徴としている。
【００１０】
請求項１記載の電機機器の端子装置では、ケースの内外を遮蔽するケース被覆壁はコネクタ部の底壁の第１取付孔と第２取付孔との間に接続され、第２取付孔はコネクタ部とケース内部との間を外部コネクタが抜き差しされる方向に貫通して形成されている。すなわち、ケース被覆壁は、コネクタ部の底壁の第１取付孔と第２取付孔との間に接続することにより第１取付孔と第２取付孔を区別し、第１取付孔の他端側（コネクタ部と反対側）をケース外部へ導き、第２取付孔の他端側（コネクタ部と反対側）をケース内部に導入する。しかもその第２取付孔は外部コネクタが抜き差しされる方向に貫通して形成されているので、第２取付孔に挿入固定される第２端子部材は、そのコンタクト部をコネクタ端子部と共にバネ性を有する同一の金属板にて一体形成で形成することができる。したがって、コネクタ端子部とコンタクト部との接続作業が不要となると共に、部品点数が減少して作業効率及び組付精度が向上する。
【００１１】
請求項２に係る発明の電機機器の端子装置は、請求項１記載の電機機器の端子装置において、前記第２取付孔に挿入固定された前記第２端子部材は、前記コネクタ端子部と前記コンタクト部との間にリード部を有し、前記リード部は前記ケース被覆壁の内面に沿って固定されている、ことを特徴としている。
【００１２】
請求項２記載の電機機器の端子装置では、コネクタ部はケースに対して外部コネクタの抜き差し方向となるように形成されており、しかも、第２取付孔に挿入固定された第２端子部材はリード部がケース被覆壁の内壁面に沿って固定されている。このため、外部コネクタの抜き差しによる力が第２端子部材へ作用しても、当該壁面によって第２端子部材が補強され変形が防止される。また、ケース内部の所定位置までコンタクト部を取り廻しても安定してケース被覆壁の内壁面に固定される。
【００１３】
請求項３に係る発明の電機機器の端子装置は、請求項２記載の電機機器の端子装置において、前記ケース被覆壁には、前記第２取付孔の外部であって前記第２取付孔の形成方向と交差する方向に突出する位置決突起が突出形成されており、かつ、前記リード部には、前記位置決突起が挿入係止される係止部が開口形成されている、ことを特徴としている。
【００１４】
請求項３記載の電機機器の端子装置では、第２端子部材が第２取付孔に挿入固定された後はケース被覆壁に形成された位置決突起が係止部に挿入係止される。これにより、第２端子部材が外部コネクタの抜き差し方向に移動することが阻止され、外部コネクタの抜き差しによって第２端子部材の固定位置しいてはコンタクト部の接触位置が変化してしまうことを防止できる。
【００１５】
請求項４に係る発明の電機機器の端子装置は、請求項３記載の電機機器の端子装置において、前記係止部は、前記位置決突起に噛み込む爪部が前記開口内側に向けて突出形成されていることを特徴としている。
【００１６】
請求項４記載の電機機器の端子装置では、端子部材がベース部材の取付孔に挿入固定されると共に位置決突起が係止部に挿入係止されて位置決め固定された後は、係止部の爪部が位置決突起に噛み込み、振動などによって不用意にこれら固定が外れることが無くしっかりと固定される。
【００２１】
【発明の実施の形態】
図８には本発明の実施の形態に係る端子装置１０が適用された回転電機としてのワイパモータ９０の全体構成が斜視図にて示されている。
【００２２】
このワイパモータ９０は、モータ部９０Ａと減速部９０Ｂとによって構成されている。減速部９０Ｂにはウォーム減速機がギヤハウジング９２内に収容されており、このウォーム減速機を構成するウォームホイールには、ワイパの位置などを検出するための摺動接点スイッチを構成する導電プレート（可動接点）９４が設けられている。
【００２３】
減速部９０Ｂのギヤハウジング９２には、端子装置１０が一体に設けられている。ここで、図３には端子装置１０の構成が平面図にて示されており、図４には端子装置１０の構成が裏面図にて示されている。さらに、図１及び図２には、当該端子装置１０の主要部の構成が断面図にて示されている。
【００２４】
この端子装置１０は、ワイパモータ９０の減速部９０Ｂのギヤハウジング９２の一部を構成しており、ベース部材としてのケース１２を備えている。このケース１２は、上面に外周側壁１４が立設することで上部が開放して形成されており（なお、最終的には当該部位に樹脂材が充填される）、さらに、裏面側は箱状に形成されて前述した導電プレート９４を収容する構成となっている。
【００２５】
また、端子装置１０には、ワイパモータ９０の外部コネクタ（図示省略）に接続されるコネクタ部１６がケース１２の一側角部に隣接して設けられている。図１及び図２に詳細に示す如く、コネクタ部１６は、そのコネクタハウジング１８が外部コネクタが抜き差しされる方向Ｍに開口してケース１２に一体に形成されている。また、コネクタ部１６のコネクタ部底壁２０には、第１取付孔２２及び第２取付孔２４が同様に外部コネクタが抜き差しされる方向Ｍに沿って形成されている。
【００２６】
さらにここで、ケース１２の内外を遮蔽するケース被覆壁２６は、コネクタ部１６のコネクタ部底壁２０の第１取付孔２２と第２取付孔２４との間に接続され、第２取付孔２４はコネクタ部１６とケース１２内部との間を外部コネクタが抜き差しされる方向Ｍに直接的に貫通して形成されている。すなわち、このコネクタ部１６は、ケース１２の内外を遮蔽するケース被覆壁２６が、第１取付孔２２と第２取付孔２４との間のコネクタ部底壁２０に連続するように、コネクタ部底壁２０をケース被覆壁２６に跨って設けている。これにより、第２取付孔２４をコネクタ部１６とケース１２内部とを直接的に貫通させた構成となっている。
【００２７】
コネクタ部１６の第１取付孔２２には第１端子部材２８が挿入固定されており、また、第２取付孔２４には第２端子部材３０が挿入固定されている。
【００２８】
第１端子部材２８は、一端側がコネクタ部１６内に突出し外部コネクタが抜き差しされるコネクタ端子部３２とされており、また、他端側はケース１２の上面側に導出して素子接続部３３とされ、電線３４を介して雑音防止素子３６（コンデンサ、チョークコイル等）に接続されている。
【００２９】
一方、第２端子部材３０は、一端側がコネクタ部１６内に突出して外部コネクタが抜き差しされるコネクタ端子部３８とされ、他端側がケース１２の内部（裏面側）に導入され、前述した導電プレート９４に摺接して電気的断続を行なうコンタクト部４０とされている。
【００３０】
ここで、図７には第２端子部材３０の詳細が示されている。
【００３１】
第２端子部材３０は、バネ性を有する導電性金属板によって、コネクタ端子部３８とコンタクト部４０とが一体的に形成され、さらにコネクタ端子部３８とコンタクト部４０との間にはリード部４２を有した構成となっており、第２取付孔２４に挿入固定された状態では、リード部４２がケース被覆壁２６の内面（裏面）に沿って所定のコンタクト位置まで取り廻されて固定されている。
【００３２】
また、ケース被覆壁２６には、第２取付孔２４の外部（具体的には、第２取付孔２４にコネクタ端子部３８を挿入する側）であって第２取付孔２４の形成方向と交差する方向に位置決突起４４が突出形成されている。また、前述した第２端子部材３０のリード部４２には、位置決突起４４に対応して係止部４６が開口形成されており、さらに、この係止部４６には、図７（Ａ）に示す如く、位置決突起４４に噛み込む爪部４８が開口内側に向けて突出形成されている。これにより、位置決突起４４が係止部４６に挿入され爪部４８が噛み込むことで係止されて、第２端子部材３０（リード部４２）がケース被覆壁２６の裏面側に固定される構成である。
【００３３】
さらに、第２端子部材３０のリード部４２には、図７（Ｂ）に示す如く、クランク状の折曲げ部５０が形成されている。この折曲げ部５０は、ケース１２の内方側から第２取付孔２４へ第２端子部材３０を挿入して組み付ける際に、第２取付孔２４の開口周縁に当接することで、第２端子部材３０が第２取付孔２４内へ挿入し過ぎることを防止する機能を有している。したがって、折曲げ部５０によって第２端子部材３０の第２取付孔２４内への挿入量が制限されるため（挿入位置が決定されるため）、位置決突起４４を係止部４６に挿入させる際にも容易に位置合わせが行なえるようになっている。
【００３４】
次に本実施の形態の作用を説明する。
【００３５】
上記構成の端子装置１０では、コネクタ端子部３８とコンタクト部４０とがバネ性を有する導電性金属板にて一体的に形成された第２端子部材３０を備えており、この第２端子部材３０が、コネクタ部１６のコネクタ部底壁２０に形成された第２取付孔２４に挿入固定されている。しかも、ケース被覆壁２６には位置決突起４４が突出形成されており、この位置決突起４４にリード部４２の係止部４６が挿入係止されて、第２端子部材３０がケース被覆壁２６の裏面側に固定されている。
【００３６】
ここで、従来において、外部コネクタの抜き差し方向に取付孔が形成されこの取付孔に端子部材が挿入固定された端子装置では、通常、端子部材の抜け止めとして一部を切り起こした切起片を取付孔の周縁に係合させているが、特に、端子部材がバネ性を有するコンタクト等の場合には切起片が撓んで端子部材の固定位置が移動してしまう恐れがあり、コンタクト部が一体的に形成されたこの端子部材の移動によってコンタクト部の接触位置もズレてしまうといった不具合が懸念されていた。
【００３７】
これに対し、本実施の形態に係る端子装置１０では、第２端子部材３０がコネクタ部底壁２０に形成された第２取付孔２４に挿入固定された後はケース被覆壁２６に形成された位置決突起４４が係止部４６に挿入係止されるため、第２端子部材３０が外部コネクタの抜き差し方向Ｍに移動することが阻止され、外部コネクタの抜き差しによって第２端子部材３０の固定位置しいてはコンタクト部４０の接触位置が変化してしまうことを防止できる。
【００３８】
しかも、第２端子部材３０の係止部４６には、位置決突起４４に噛み込む爪部４８が突出形成されているため、第２端子部材３０が第２取付孔２４に挿入固定されると共に位置決突起４４が係止部４６に挿入係止されて位置決め固定された後は、係止部４６の爪部４８が位置決突起４４に噛み込み、振動などによって不用意にこれら固定が外れることが無くしっかりと固定される。
【００３９】
さらに、第２取付孔２４に挿入固定された第２端子部材３０は、コネクタ端子部３８とコンタクト部４０との間にリード部を有しており、このリード部４２はケース被覆壁２６の内面に沿って固定されているため、外部コネクタの抜き差しによる力が第２端子部材３０へ作用しても、当該ケース被覆壁２６によって第２端子部材３０が補強され変形が防止される。
【００４０】
このように、本実施の形態に係る端子装置１０は、ワイパモータ９０の外部コネクタが抜き差しされる第２端子部材３０がコネクタ部底壁２０に形成された第２取付孔２４に挿入固定されたものであって、第２端子部材３０を第２取付孔２４に挿入固定した後は第２端子部材３０が外部コネクタが抜き差し方向Ｍに移動することを確実に阻止することができ、外部コネクタの抜き差しにより第２端子部材３０の固定位置が変化することを防止できる。
【００４１】
また、本実施の形態に係る端子装置１０では、ケース１２の内外を遮蔽するケース被覆壁２６は、コネクタ部１６のコネクタ部底壁２０の第１取付孔２２と第２取付孔２４との間に接続され、第２取付孔２４はコネクタ部１６とケース１２内部との間を外部コネクタが抜き差しされる方向Ｍに直接的に貫通して形成されている。
【００４２】
ここで、従来において、コネクタ部の各端子部材のうち、その他端部をケース内部に導入されて導電プレートに摺接させるコンタクト部に接続する必要がある場合には、端子部材の他端側を一旦ケースの外部に導出してリード線によってコンタクトと接続していたため、作業工数及び部品点数が増加していた。また、これら接続作業を低減するために端子部材とコンタクトとが予め溶接などで一体に形成されたものを樹脂製のケースを成形する際にインサート成形によって埋設固定したものがあるが、ケース形成時に追加の段取り工程が必要であり依然作業性は改善されなかった。
【００４３】
これに対し、本実施の形態に係る端子装置１０では、ケース１２の内外を遮蔽するケース被覆壁２６はコネクタ部１６のコネクタ部底壁２０の第１取付孔２２と第２取付孔２４との間に接続され、第２取付孔２４はコネクタ部１６とケース１２内部との間を外部コネクタが抜き差しされる方向Ｍに貫通して形成されている。すなわち、ケース被覆壁２６は、コネクタ部１６のコネクタ部底壁２０の第１取付孔２２と第２取付孔２４との間に接続することにより第１取付孔２２と第２取付孔２４を区別し、第１取付孔２２の他端側（コネクタ部１６と反対側）をケース１２外部へ導き、第２取付孔２４の他端側（コネクタ部１６と反対側）をケース１２内部に導入する。しかもその第２取付孔２４は外部コネクタが抜き差しされる方向Ｍに貫通して形成されているので、第２取付孔２４に挿入固定される第２端子部材３０は、そのコンタクト部４０をコネクタ端子部３８と共にバネ性を有する同一の金属板にて一体形成で形成することができる。したがって、コネクタ端子部３８とコンタクト部４０との接続作業が不要となると共に、部品点数が減少して作業効率及び組付精度が向上する。
【００４４】
このように、本実施の形態に係る端子装置１０は、コネクタ部１６に挿入されるコネクタ端子部３８とケース１２内部の導電プレートに摺接するコンタクト部４０とが一体的に形成された第２端子部材３０が、外部コネクタの抜き差し方向Ｍにコネクタ端子部３８を第２取付孔２４に挿入して固定するものであって、外部コネクタの抜き差しによる第２端子部材３０の移動を防止してコンタクト部４０と導電プレートとの接触位置関係のズレを防止でき、またさらに、外部コネクタの抜き差し方向Ｍにコネクタ部１６に挿入されるコネクタ端子部３８とケース１２内部の導電プレートに摺接されるコンタクト部４０とを同一の金属板にて一体形成しても、コネクタ端子部３８をコネクタ部１６に導出しつつケース１２内部にもコンタクト部４０を接続作業なしで導入することができ、組付け作業性が向上し部品点数の低減を図ることができる。
【図面の簡単な説明】
【図１】本発明の実施の形態に係る端子装置のコネクタ部及び端子部材の構成を示す図３の１−１線に沿った断面図である。
【図２】本発明の実施の形態に係る端子装置のコネクタ部及び端子部材の構成を示す図３の２−２線に沿った断面図である。
【図３】本発明の実施の形態に係る端子装置の構成を示す平面図である。
【図４】本発明の実施の形態に係る端子装置の構成を示す裏面図である。
【図５】本発明の実施の形態に係る端子装置のコネクタ部の構成を示す正面図である。
【図６】本発明の実施の形態に係る端子装置の位置決突起の構成を示し、端子部材を取り外した状態での要部裏面図である。
【図７】本発明の実施の形態に係る端子装置の第２端子部材の構成を示し、（Ａ）は平面図であり、（Ｂ）は正面図である。
【図８】本発明の実施の形態に係る端子装置が適用されたワイパモータの全体構成を示す斜視図である。
【図９】従来の端子装置のコネクタ部及び端子部材の構成を示す断面図である。
【符号の説明】
１０    端子装置
１２    ケース（ベース部材）
１６    コネクタ部
２０    コネクタ部底壁
２２    第１取付孔
２４    第２取付孔
２６    ケース被覆壁
２８    第１端子部材
３０    第２端子部材
３２    コネクタ端子部
３３    素子接続部
３８    コネクタ端子部
４０    コンタクト部
４２    リード部
４４    位置決突起
４６    係止部
４８    爪部
５０    折曲げ部
９４    導電プレート
【図１】
0003754278.tif 000002
【図２】
0003754278.tif 000003
【図３】
0003754278.tif 000004
【図４】
0003754278.tif 000005
【図５】
0003754278.tif 000006
【図６】
0003754278.tif 000007
【図７】
0003754278.tif 000008
【図８】
0003754278.tif 000009
【図９】
0003754278.tif 000010